(57)【要約】【課題】複数の映像プロジェクタから投射される映像を切り替えて表示することができる映像表示システムを提供する。【解決手段】（ａ）直線偏光に対して散乱が最も大きくなる散乱軸、及び直線偏光に対して散乱が最も小さくなる透過軸を面内に有する、直線偏光選択性スクリーン、（ｂ）直線偏光選択性スクリーンに対して第１の偏光方向の偏光によって映像を投射する、第１の映像プロジェクタ、（ｃ）直線偏光選択性スクリーンに対して第１の偏光方向と垂直な第２の偏光方向の偏光によって映像を投射する、第２の映像プロジェクタ、並びに（ｄ）第１及び第２の偏光方向のいずれか一方が、直線偏光選択性スクリーンの散乱軸方向となるように切り替える、切り替え装置を有する、映像表示システムとする。【選択図】図１
2010160216.tif 000002
【特許請求の範囲】
【請求項１】
（ａ）直線偏光に対して散乱が最も大きくなる散乱軸、及び直線偏光に対して散乱が最も小さくなる透過軸を面内に有する、直線偏光選択性スクリーン、
（ｂ）前記直線偏光選択性スクリーンに対して第１の偏光方向の偏光によって映像を投射する、第１の映像プロジェクタ、
（ｃ）前記直線偏光選択性スクリーンに対して前記第１の偏光方向と垂直な第２の偏光方向の偏光によって映像を投射する、第２の映像プロジェクタ、並びに
（ｄ）前記第１及び第２の偏光方向のいずれか一方が、前記直線偏光選択性スクリーンの散乱軸方向となるように切り替える、切り替え装置、
を有する、映像表示システム。
【請求項２】
前記切り替え装置が、前記直線偏光選択性スクリーンを回転させて、前記直線偏光選択性スクリーンの散乱軸が、前記第１及び第２の偏光方向のいずれかに平行になるように切り替える、スクリーン回転装置である、請求項１に記載の映像表示システム。
【請求項３】
前記スクリーン回転装置が、前記直線偏光選択性スクリーンの法線方向の軸の周りに、前記直線偏光選択性スクリーンを回転させる、請求項２に記載の映像表示システム。
【請求項４】
前記スクリーン回転装置が、前記直線偏光選択性スクリーンの面方向の軸の周りに、前記直線偏光選択性スクリーンを回転させる、請求項２に記載の映像表示システム。
【請求項５】
前記切り替え装置が、前記第１及び第２の偏光方向の偏光を、それぞれの偏光の投射方向軸の周りに回転させて、前記第１及び第２の偏光方向のいずれかが、前記直線偏光選択性スクリーンの散乱軸と平行になるように切り替える、偏光回転装置である、請求項１に記載の映像表示システム。
【請求項６】
前記偏光回転装置が、位相差フィルムによって、前記第１及び第２の偏光方向の偏光を、それぞれの偏光の投射方向軸の周りに回転させる、請求項５に記載の映像表示システム。
【請求項７】
前記偏光回転装置が、前記第１及び第２の映像プロジェクタ自体を回転させて、前記第１及び第２の偏光方向の偏光を、それぞれの偏光の投射方向軸の周りに回転させる、請求項５に記載の映像表示システム。
【発明の詳細な説明】
【技術分野】
【０００１】
本発明は、映像投射用スクリーン及び映像プロジェクタを有する映像表示システムに関する。
【背景技術】
【０００２】
映像プロジェクタ（投射型表示装置）は、直視型表示装置と比較して、小型且つ低コストで大画面表示が実現できるため、需要が増大している。特に、二次元光学スイッチとして液晶素子を用いた映像プロジェクタ、すなわち液晶プロジェクタは、ＣＲＴ投射管を用いた映像プロジェクタと異なり、ドッドマトリックス表示により画面の周辺部までボケの無い高精細な表示が可能であるため、高解像度デジタルテレビの本命として期待されている。
【０００３】
従来、映像プロジェクタによって映像を投影されるスクリーンとしては、映像プロジェクタからの投射光を全反射させる白色のスクリーンが用いられてきた。しかしながら、近年、偏光によって映像を投射する映像プロジェクタ、特に液晶プロジェクタと共に使用される反射型スクリーンのコントラストを向上させるために、ある特定の偏光のみを選択反射する偏光選択性スクリーンが提案されている。このような偏光選択性スクリーンでは、映像プロジェクタから投射される偏光を反射し／散乱させ、これとは異なる方向の偏光、すなわち環境光の半分を透過させ及び／又は吸収することによって、表示される映像のコントラストを改良している（特許文献１〜５）。
【０００４】
これに関し、例えば特許文献５では、直線偏光に対して散乱が最も大きくなる散乱軸と直線偏光に対して散乱が最も小さくなる透過軸とを面内に有する直線偏光選択性スクリーンを開示している。ここで、この直線偏光選択性スクリーンは、高分子マトリックス中に高分子微粒子を含有する配向フィルムを含んでなり、且つこれらの高分子マトリックス及び高分子微粒子が特定の屈折率異方性を有している。
【０００５】
【特許文献１】特開平５−１０７６６０号公報
【特許文献２】特開２００５−１７７５１号公報
【特許文献３】特表２００２−５４０４４５号公報
【特許文献４】特表２００５−５２６２８３号公報
【特許文献５】国際公開ＷＯ２００６／００９２９３号公報
【発明の開示】
【発明が解決しようとする課題】
【０００６】
本発明の１つの目的は、複数の映像プロジェクタから投射される映像を切り替えて表示することができる映像表示システムに関する。本発明の他の目的及び利点は以下の説明から明らかになろう。
【課題を解決するための手段】
【０００７】
本発明は下記のようなものである：
【０００８】
〈１〉（ａ）直線偏光に対して散乱が最も大きくなる散乱軸、及び直線偏光に対して散乱が最も小さくなる透過軸を面内に有する、直線偏光選択性スクリーン、
（ｂ）上記直線偏光選択性スクリーンに対して第１の偏光方向の偏光によって映像を投射する、第１の映像プロジェクタ、
（ｃ）上記直線偏光選択性スクリーンに対して上記第１の偏光方向と垂直な第２の偏光方向の偏光によって映像を投射する、第２の映像プロジェクタ、並びに
（ｄ）上記第１及び第２の偏光方向のいずれか一方が、上記直線偏光選択性スクリーンの散乱軸方向となるように切り替える、切り替え装置、
を有する、映像表示システム。
〈２〉上記切り替え装置が、上記直線偏光選択性スクリーンを回転させて、上記直線偏光選択性スクリーンの散乱軸が、上記第１及び第２の偏光方向のいずれかに平行になるように切り替える、スクリーン回転装置である、上記〈１〉項に記載の映像表示システム。
〈３〉上記スクリーン回転装置が、上記直線偏光選択性スクリーンの法線方向の軸の周りに、上記直線偏光選択性スクリーンを回転させる、上記〈２〉項に記載の映像表示システム。
〈４〉上記スクリーン回転装置が、上記直線偏光選択性スクリーンの面方向の軸の周りに、上記直線偏光選択性スクリーンを回転させる、上記〈２〉項に記載の映像表示システム。
〈５〉上記切り替え装置が、上記第１及び第２の偏光方向の偏光を、それぞれの偏光の投射方向軸の周りに回転させて、上記第１及び第２の偏光方向のいずれかが、上記直線偏光選択性スクリーンの散乱軸と平行になるように切り替える、偏光回転装置である、上記〈１〉項に記載の映像表示システム。
〈６〉上記偏光回転装置が、位相差フィルムによって、上記第１及び第２の偏光方向の偏光を、それぞれの偏光の投射方向軸の周りに回転させる、上記〈５〉項に記載の映像表示システム。
〈７〉上記偏光回転装置が、上記第１及び第２の映像プロジェクタ自体を回転させて、上記第１及び第２の偏光方向の偏光を、それぞれの偏光の投射方向軸の周りに回転させる、上記〈５〉項に記載の映像表示システム。
【発明の効果】
【０００９】
本発明の映像表示システムによれば、複数の映像プロジェクタから投射される映像、例えば第１及び第２の２つの映像プロジェクタから投射される映像を切り替えて、スクリーンに表示することができる。したがって例えば第１及び第２の映像プロジェクタから投射される映像を素早く交互に切り替えて、第１及び第２の映像プロジェクタから投射される映像の合成映像を、観察者に知覚させること、これらの映像を比較的ゆっくりと切り替えて、第１及び第２の映像プロジェクタから投射される映像をそれぞれ、観察者に知覚させること等ができる。
【発明を実施するための最良の形態】
【００１０】
以下では、図面を用いて本発明の映像表示システムを説明する。ただし、本発明の映像表示システムは、これらの図面の記載によって限定されるものではない。
【００１１】
図１で示す本発明の映像表示システム１００は、（ａ）直線偏光選択性スクリーン１０、（ｂ）第１の映像プロジェクタ１１、（ｃ）第２の映像プロジェクタ２１、及び（ｄ）切り替え装置を有している。
【００１２】
〈（ａ）直線偏光選択性スクリーン〉
図１の映像表示システム１００で用いられる直線偏光選択性スクリーン１０は、直線偏光に対して散乱が最も大きくなる散乱軸、及び直線偏光に対して散乱が最も小さくなる透過軸を面内に有する。この直線偏光選択性スクリーンは例えば、特許文献５で示されるように、特定の屈折率異方性を有する高分子マトリックス中に高分子微粒子を含有する配向フィルムを含んでなるものである。
【００１３】
この直線偏光選択性スクリーンは、スクリーン自体を自立性にすること、スクリーンを吊り下げ式にすること等ができる。直線偏光選択性スクリーン自体を自立性にする場合には例えば、このスクリーンに透明基材、型枠等を提供することができる。透明基材としては、アクリル系樹脂のような光学的に透明な有機透明基板、ガラス基板のような無機透明基板等を用いることができる。
【００１４】
なお、直線偏光選択性スクリーンは通常、映像プロジェクタからスクリーンに投射される映像を、スクリーンを基準にして映像プロジェクタと同じ側及び反対側のいずれからでも観察することができる。しかしながら本発明に関して、「反射型の直線偏光選択性スクリーン」は、映像プロジェクタからスクリーンの投射される映像を、スクリーンを基準にして映像プロジェクタと同じ側（すなわち図１の観察者Ａの側）から観察するのに適した特性を有する直線偏光選択性スクリーンを意味するものとする。また、本発明に関して、「透過型の直線偏光選択性スクリーン」は、映像プロジェクタからスクリーンの投射される映像を、スクリーンを基準にして映像プロジェクタと反対側（すなわち図１の観察者Ｂの側）から観察するのに適した特性を有する直線偏光選択性スクリーンを意味するものとする。
【００１５】
例えば、反射型の直線偏光選択性スクリーンは、下記の式（１）及び（２）を満たしている直線偏光選択性スクリーンである：
２＜ＴＴtrans／ＴＴscat、又は３＜ＴＴtrans／ＴＴscat                （１）
ＴＴ＜６０％、又はＴＴ＜５０％                                      （２）
（ＴＴtrans：透過軸方向の全光線透過率
ＴＴscat：散乱軸方向の全光線透過率
ＴＴ：全光線透過率）。
【００１６】
例えば、透過型の直線偏光選択性スクリーンは、下記の式（３）及び（４）を満たしている直線偏光選択性スクリーンである：
１≦ＴＴtrans／ＴＴscat≦２、又は１≦ＴＴtrans／ＴＴscat≦１．５    （３）
６０％≦ＴＴ、又は７０％≦ＴＴ                                      （４）
（ＴＴtrans：透過軸方向の全光線透過率
ＴＴscat：散乱軸方向の全光線透過率
ＴＴ：全光線透過率）。
【００１７】
なお、本発明に関して「全光線透過率」は、ＪＩＳＫ７３６１−１準拠で測定される値であり、具体的には、ＣＩＥ  Ｄ65標準光源を用いて、入射光に対する試料を透過した全光線の割合として表される値である。
【００１８】
〈（ｂ）（ｃ）第１及び第２の映像プロジェクタ〉
図１で示す映像表示システム１００で用いられる第１の映像プロジェクタ１１は、直線偏光選択性スクリーン１０に対して第１の偏光方向の偏光１２によって映像を投射する映像プロジェクタである。また、図１で示す映像表示システム１００で用いられる第２の映像プロジェクタ２１は、直線偏光選択性スクリーン１０に対して第１の偏光方向と垂直な第２の偏光方向の偏光２２によって映像を投射する映像プロジェクタである。
【００１９】
ここで用いられる第１及び第２の映像プロジェクタは、偏光によって映像を投射することができる任意の映像プロジェクタであってよく、具体的には例えば二次元光学スイッチとして液晶素子を用いた映像プロジェクタ、すなわち液晶プロジェクタであってよい。
【００２０】
上記記載のように、本発明の映像表示システムで用いられる第２の映像プロジェクタは、第１の偏光方向と垂直な第２の偏光方向の偏光を投射する映像プロジェクタである。すなわち、第１の映像プロジェクタ１１から投射される偏光１２と、第２の映像プロジェクタ２１から投射される偏光２２とは、その偏光方向が直交している。
【００２１】
したがって、図１で示されるように、第１の映像プロジェクタ１１から投射される偏光１２の偏光方向が、直線偏光選択性スクリーン１０の散乱軸方向であり、それによって第１の映像プロジェクタ１１から投射される映像が直線偏光選択性スクリーン１０に表示される場合には、第２の映像プロジェクタ２１から投射される偏光２２の偏光方向は、直線偏光選択性スクリーン１０の透過軸方向であり、それによって第２の映像プロジェクタ２０から投射される映像は直線偏光選択性スクリーンに表示されない。
【００２２】
また反対に、図２で示されるように、第２の映像プロジェクタ２１から投射される偏光２２の偏光方向が、直線偏光選択性スクリーン１０の散乱軸方向であり、それによって第２の映像プロジェクタ２１から投射される映像が直線偏光選択性スクリーン１０に表示される場合には、第１の映像プロジェクタ１１から投射される偏光１２の偏光方向は、直線偏光選択性スクリーン１０の透過軸方向であり、それによって第１の映像プロジェクタ１１から投射される映像は直線偏光選択性スクリーン１０に表示されない。
【００２３】
すなわち、直線偏光選択性スクリーンには、第１及び第２の映像プロジェクタから投射される映像のいずれか一方の映像のみが表示される。
【００２４】
〈（ｄ）切り替え装置〉
図１で示される映像表示システム１００で用いられる切り替え装置は、第１及び第２の偏光方向のいずれか一方、すなわち第１及び第２の映像プロジェクタのいずれか一方から投射される偏光の偏光方向が、直線偏光選択性スクリーンの散乱軸方向となるように切り替える。
【００２５】
第１及び第２の映像プロジェクタに関して上記記載のように、直線偏光選択性スクリーンには、第１及び第２の映像プロジェクタから投射される映像のいずれか一方の映像のみが表示される。したがって、この切り替え装置によれば、第１及び第２の映像プロジェクタから投射される映像のいずれか一方の映像のみが、直線偏光選択性スクリーンに切り替えて表示される。
【００２６】
〈（ｄ）切り替え装置−スクリーン回転装置〉
図１で示される映像表示システムで用いられる切り替え装置は、直線偏光選択性スクリーンを回転させて、直線偏光選択性スクリーンの散乱軸が、第１及び第２の偏光方向のいずれかに平行になるように切り替えるスクリーン回転装置であってよい。
【００２７】
１つの例では、このスクリーン回転装置は、直線偏光選択性スクリーン１０の法線方向の軸の周りに、直線偏光選択性スクリーンを回転させる装置である。
【００２８】
このスクリーン回転装置については、図３（Ａ）〜（Ｃ）で説明する。すなわち、このスクリーン回転装置では、スクリーン１０の法線方向の軸１０ａの周りに、矢印１０ｃで示すようにスクリーン１０を回転させることによって、スクリーン１０の散乱軸１０ｂが、第１及び第２の映像プロジェクタから投射される偏光の偏向方向である第１及び第２の偏光方向に対して相対的に回転する。したがってこれによれば、直線偏光選択性スクリーン１０の散乱軸１０ｂが、第１及び第２の偏光方向のいずれかに平行になるように切り替えることができる。
【００２９】
また他の例では、スクリーン回転装置は、直線偏光選択性スクリーンの面方向の軸の周りに、直線偏光選択性スクリーンを回転させる装置である。
【００３０】
このスクリーン回転装置については、図４（Ａ）及び（Ｂ）で説明する。すなわち、このスクリーン回転装置では、スクリーン１０の面方向の軸１０ａ’の周りに、矢印１０ｃ’で示すようにスクリーン１０を回転させることによって、スクリーン１０の散乱軸１０ｂ’が、第１及び第２の映像プロジェクタから投射される偏光の偏向方向である第１及び第２の偏光方向に対して相対的に回転する。したがってこれによれば、直線偏光選択性スクリーン１０の散乱軸１０ｂ’が、第１及び第２の偏光方向のいずれかに平行になるように切り替えることができる。
【００３１】
なお、図３及び４に示されるようなスクリーン回転装置では、例えば図４（Ｃ）で示すようにスクリーンを分割して、分割された個々のスクリーンを回転させることもできる。また、これらのスクリーン回転装置は具体的には、スクリーンの回転軸、この回転軸の周りにスクリーンを回転させるモーター等から構成することができる。
【００３２】
〈（ｄ）切り替え装置−偏光回転装置〉
図１で示される映像表示システムで用いられる切り替え装置は、第１及び第２の偏光方向の偏光を、それぞれの偏光の投射方向軸の周りに回転させて、第１及び第２の偏光方向のいずれかが、直線偏光選択性スクリーンの散乱軸と平行になるように切り替える偏光回転装置であってよい。
【００３３】
１つの例では、この偏光回転装置は、位相差フィルム、特に可視光の中心領域の半波長の位相差を有する位相差フィルムによって、第１及び第２の偏光方向の偏光を、それぞれの偏光の投射方向軸の周りに回転させる装置である。
【００３４】
この偏光回転装置は、具体的には、位相差フィルムを、第１及び第２の映像プロジェクタと直線偏光選択性スクリーンとの間に反復的に挿入・除去することによって、直線偏光を９０°回転させて、第１及び第２の偏光方向のいずれかに平行になるように切り替えることができる。
【００３５】
また他の例では、この偏光回転装置は、第１及び第２の映像プロジェクタ自体を回転させて、第１及び第２の偏光方向の偏光を、それぞれの偏光の投射方向軸の周りに回転させる装置である。
【図面の簡単な説明】
【００３６】
【図１】図１は、本発明の映像表示システムの１つの状態を示す概略図である。
【図２】図２は、本発明の映像表示システムの他の状態を示す概略図である。
【図３】図３は、直線偏光選択性スクリーンを回転させるスクリーン回転装置の１つの態様を示す概略図である。
【図４】図４は、直線偏光選択性スクリーンを回転させるスクリーン回転装置の他の態様を示す概略図である。
【符号の説明】
【００３７】
１０    第１のスクリーン
１０ａ、１０ａ’    回転軸
１０ｂ、１０ｂ’    散乱軸
１０ｃ、１０ｃ’    回転方向を示す矢印
１１    第１の映像プロジェクタ
２１    第２の映像プロジェクタ
１００    本発明の映像表示システム
Ａ、Ｂ    観察者
【図１】
2010160216.tif 000003
【図２】
2010160216.tif 000004
【図３】
2010160216.tif 000005
【図４】
2010160216.tif 000006